Podtech/llm-jp-corpus-v4-ja_patent huggingface dataset:
【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
生存促進性細胞シグナル伝達経路の活性化を阻害することによる腫瘍成長の阻害のための医薬であって、Ｏ−グリカンムチン型糖タンパク質を標的化するためのモノクローナル抗体を含む、医薬。
【請求項２】
さらに、薬学的に許容可能な担体を含む、請求項１に記載の医薬。
【請求項３】
前記モノクローナル抗体はＡＲ９．６である、請求項１に記載の医薬。
【請求項４】
前記ムチン型糖タンパク質はＭＵＣ１６である、請求項１に記載の医薬。
【請求項５】
前記生存促進性細胞シグナル伝達経路はＰＩ３Ｋ／Ａｋｔシグナル伝達経路である、請求項１に記載の医薬。
【請求項６】
前記Ｏ−グリカンムチン型糖タンパク質は切頭Ｏ−グリカンを含む、請求項１に記載の医薬。
【請求項７】
前記切頭Ｏ−グリカンはＴｎ抗原、シアリルＴｎ抗原（ＳＴｎ）、又は、その組み合わせを含む、請求項１に記載の医薬。
【請求項８】
細胞傷害性薬剤、追加の抗体若しくは治療上有効なその断片の少なくとも１つを含む第２の治療薬、又は、化学療法レジメンを更に含む、請求項１に記載の医薬。
【請求項９】
前記細胞傷害性薬剤はゲムシタビン及びアブラキサンの少なくとも１つである、請求項８に記載の医薬。
【請求項１０】
前記追加の抗体又は治療上有効なその断片はオレゴボマブ抗体Ｂ４３．１３である、請求項８に記載の医薬。
【請求項１１】
前記化学療法レジメンはｆｏｌｆｉｒｉｎｏｘである、請求項８に記載の医薬。
【請求項１２】
前記腫瘍成長の阻害は癌を治療するためのものである、請求項１に記載の医薬。
【請求項１３】
前記癌は、膵臓腫瘍、結腸腫瘍、卵巣腫瘍、乳房腫瘍、肺腫瘍、及び、肝臓腫瘍から選択される、請求項１２に記載の医薬。
【請求項１４】
生存促進性細胞シグナル伝達経路の活性化を阻害することによる腫瘍成長の阻害のための医薬の製造のための、Ｏ−グリカンムチン型糖タンパク質を標的化するモノクローナル抗体の使用。
【請求項１５】
前記モノクローナル抗体はＡＲ９．６である、請求項１４に記載の使用。
【請求項１６】
前記ムチン型糖タンパク質はＭＵＣ１６である、請求項１４に記載の使用。
【請求項１７】
前記生存促進性細胞シグナル伝達経路はＰＩ３Ｋ／Ａｋｔ経路である、請求項１４に記載の使用。
【請求項１８】
前記Ｏ−グリカンムチン型糖タンパク質は切頭Ｏ−グリカンを含む、請求項１４に記載の使用。
【請求項１９】
前記切頭Ｏ−グリカンはＴｎ抗原、シアリルＴｎ抗原（ＳＴｎ）、又は、その組み合わせを含む、請求項１４に記載の使用。
【請求項２０】
細胞傷害性薬剤、追加の抗体若しくはその治療に有効な断片から選択される少なくとも１つの第２の治療薬、又は、化学療法レジメンを使用することを含む、請求項１４に記載の使用。
【請求項２１】
前記細胞傷害性薬剤はゲムシタビン及びアブラキサンの少なくとも１つである、請求項２０に記載の使用。
【請求項２２】
前記追加の抗体又は治療上有効なその断片はオレゴボマブ抗体Ｂ４３．１３である、請求項２０に記載の使用。
【請求項２３】
前記化学療法レジメンはｆｏｌｆｉｒｉｎｏｘである、請求項２０に記載の使用。
【請求項２４】
癌を治療するためのものである、請求項１４に記載の使用。
【請求項２５】
前記癌は、膵臓腫瘍、結腸腫瘍、卵巣腫瘍、乳房腫瘍、肺腫瘍、及び、肝臓腫瘍から選択される、請求項２４に記載の使用。
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
エンドセリンＢ受容体アゴニストを含有する、患者の神経精神疾患を治療するための医薬組成物。
【請求項２】
神経精神疾患を治療するための追加の剤と共に投与される医薬組成物である、請求項１に記載の医薬組成物。
【請求項３】
前記追加の剤が、抗うつ剤、抗炎症剤、ＣＮＳ興奮剤、神経安定剤、及び抗増殖剤からなる群から選択される、請求項２に記載の医薬組成物。
【請求項４】
前記エンドセリンＢ受容体アゴニストは、ＩＲＬ−１６２０、ＢＱ−３０２０、［Ａｌａ１，３，１１，１５］−エンドセリン、サラホトキシンＳ６ｃ、エンドセリン３、及びそれらの混合物からなる群から選択される、請求項１〜３のいずれか１項に記載の医薬組成物。
【請求項５】
前記神経精神疾患が、脳血管疾患、脳卒中、脳虚血、脳出血、頭部外傷、脳外傷、脳腫瘍、多発性硬化症及び脱髄疾患、認知症、血管性認知症、アルツハイマー病、パーキンソン病、ハンチントン病、運動失調、運動ニューロン疾患、筋委縮側索硬化症、薬物中毒、アルコール依存症、慢性脳感染、脳膿瘍、白質疾患、ビンスワンゲル病、モヤモヤ病、周生期低酸素症、脳仮死、頭蓋内分娩時損傷、脳の先天性奇形、気分障害、及びうつ病からなる群から選択される、請求項１〜４のいずれか１項に記載の医薬組成物。
【請求項６】
前記エンドセリンＢ受容体アゴニストが、０．０００１〜０．５ｍｇ／ｋｇの投与量範囲で投与される、請求項１〜５のいずれか１項に記載の医薬組成物。
【請求項７】
前記エンドセリンＢ受容体アゴニストが、２〜５日毎後、１〜６時間の間隔で繰り返し投与される、請求項１〜６のいずれか１項に記載の医薬組成物。
【請求項８】
（ａ）エンドセリンＢ受容体アゴニスト、（ｂ）神経精神疾患の治療に用いられる剤、及び、任意選択的に、（ｃ）賦形剤、を含有する組成物。
【請求項９】
（ａ）エンドセリンｂ受容体アゴニスト及び神経精神疾患を治療するための剤を含有する、パッケージ化された組成物；
（ｂ）エンドセリンＢ受容体アゴニストと、患者を治療する神経精神疾患のための剤を、同時投与、または逐次投与するための説明を提示する挿入物；ならびに、
（ｃ）（ａ）及び（ｂ）のための容器、
を含有する製品。
【請求項１０】
前記エンドセリンＢ受容体アゴニストが、ＩＲＬ−１６２０である、請求項１〜８のいずれか１項に記載の医薬組成物。
【請求項１１】
前記エンドセリンＢ受容体アゴニストが、ＩＲＬ−１６２０である、請求項９に記載の製品。
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
精製水、
ラウリン酸ＰＥＧ−８０ソルビタン、
トリデセス硫酸ナトリウム、
ジステアリン酸ＰＥＧ−１５０、
ラウロアンホ酢酸ナトリウム、
コカミドプロピルヒドロキシスルタイン、
ラウレス−１３カルボン酸ナトリウム、
塩化ナトリウム、
ＰＥＧ−１５ココポリアミン、
ポリヘキサメチレンビグアニド、
ソルビン酸カリウム、
１，２ヘキサンジオール、及び
カプリリルグリコールからなる眼用組成物。
【請求項２】
眼瞼治療キットであって、前記眼瞼治療キットが眼用組成物を含み、
前記眼用組成物が、ラウリン酸ＰＥＧ−８０ソルビタン、トリデセス硫酸ナトリウム、ジステアリン酸ＰＥＧ−１５０、ラウロアンホ酢酸ナトリウム、コカミドプロピルヒドロキシスルタイン、ラウレス−１３カルボン酸ナトリウム、塩化ナトリウム、ＰＥＧ−１５ココポリアミン、ポリヘキサメチレンビグアニド、ソルビン酸カリウム、１，２ヘキサンジオール、及びカプリリルグリコールから本質的になる眼瞼治療キット。
【請求項３】
前記眼用組成物が、乳剤、懸濁剤、分散剤、泡剤、クリーム剤、ローション剤、液剤、ペースト、ゲル剤、又は噴霧剤から選択される形態である、請求項２に記載の眼瞼治療キット。
【請求項４】
ポンプディスペンサーを更に含み、前記ポンプディスペンサーが、前記眼用組成物を含有する、請求項２に記載の眼瞼治療キット。
【請求項５】
前記眼用組成物が、前記ポンプディスペンサーから供給されると、泡を形成することが可能である、請求項４に記載の眼瞼治療キット。
【請求項６】
前記眼用組成物用の容器を更に含む、請求項３に記載の眼瞼治療キット。
【請求項７】
前記眼用組成物を適用するための１つ又は複数のアプリケータを更に含む、請求項６に記載の眼瞼治療キット。
【請求項８】
前記アプリケータが、スワブ、布パッド、及び綿ボールからなる群から選択される、請求項７に記載の眼瞼治療キット。
【請求項９】
前記アプリケータが、有効量の前記眼用組成物を受容するような寸法の表面積を有する布パッドを更に含む、請求項８に記載の眼瞼治療キット。
【請求項１０】
布パッドが、前記眼用組成物で予め湿潤されている、請求項８に記載の眼瞼治療キット。
【請求項１１】
前記布パッドが、テクスチャ表面を含む、請求項８に記載の眼瞼治療キット。
【請求項１２】
前記布パッドが、レーヨン及びポリプロピレンの混紡織物を含む、請求項８に記載の眼瞼治療キット。
【請求項１３】
前記布パッドが、３０ｍｌ〜４８０ｍｌの前記眼用組成物を含む、請求項８に記載の眼瞼治療キット。
【請求項１４】
前記布パッドを封入する密封可能な容器を更に含む、請求項９に記載の眼瞼治療キット。
【請求項１５】
前記布パッドを封入するための不浸透性包装材料を更に含む、請求項９に記載の眼瞼治療キット。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
- 単離した間質血管画分(SVF)の脂肪組織由来幹細胞(ASC)を、ダルベッコ変法イーグル培地(DMEM)またはアルファ最小必須培地(α-MEM)、1-5%ペニシリン-ストレプトマイシン、1-5 IU/mLの防腐剤無添加ヘパリンおよび2-20%プールヒト血小板溶解物(pHPL)からなる成長培地において生体外増殖すること、
- 前記ASCを初代培養(P0)において採取すること、および
- 前記ASCを、採取された脂肪組織と20x106-20x107 ASC/脂肪mLの比率で混合すること
を含む、採取された脂肪組織と混合された、脂肪組織由来幹細胞(ASC)の生体外増殖初代培養物(P0)を含む組成物を製造する方法。
【請求項２】
採取された脂肪組織と少なくとも20x106-20x107 ASC/脂肪mLの比率で混合された、脂肪組織由来幹細胞(ASC)の生体外増殖初代培養物(P0)を含む組成物において、前記脂肪組織由来幹細胞(ASC)の生体外増殖初代培養物(P0)は、ダルベッコ変法イーグル培地(DMEM)またはアルファ最小必須培地(α-MEM)、1-5%ペニシリン-ストレプトマイシン、1-5 IU/mLの防腐剤無添加ヘパリンおよび2-20%プールヒト血小板溶解物(pHPL)からなる成長培地において培養され、初代培養(P0)において採取されたものである、組成物。
【請求項３】
乳房充填剤として、顔面充填剤として、美容乳房充填のため、または美容顔面充填のために使用される請求項２に記載の組成物。
【請求項４】
美容乳房充填用であり、平らで自然な見かけの移植片の分布を達成するために、可変方向および平面で、乳輪の縁の周囲のいくつかの位置から、および乳房下部のヒダにおけるいくつかの位置において、長い針を挿入することによって、該長針で水平に(身体と平行に)、アリコートまたはストリングとして注入される、請求項３に記載の組成物。
【請求項５】
美容顔面充填用であり、標的領域の外側の構造を損傷するのを回避するために、長針で水平に(表面と平行に)、アリコートまたはストリングとして注入され、平らで自然な見かけの移植片の分布を達成するために、該針が、可変方向および平面で、いくつかの位置から挿入される、請求項３に記載の組成物。
【請求項６】
美容顔面充填用であり、細い鋭い針によって真皮に注入され、標的領域において均質に分散され、切開および注入部位が縫合され、ドナー部位、およびいくつかの場合、レシピエント部位にも術後圧迫帯が適用される、請求項３に記載の組成物。
【請求項７】
美容処置において皮膚に導入される請求項２に記載の組成物。
【手続補正２】
【補正対象書類名】明細書
【補正対象項目名】００１０
【補正方法】変更
【補正の内容】
【００１０】
ASCの単離および培養
細胞医療施設において、適正製造基準(GMP)および臨床幹細胞増殖のために承認された研究室内で、承認されたプロトコルにしたがって、ASC単離およびエクスビボ増殖を行う。
脂肪吸引物をリン酸緩衝生理食塩水で(PBS)洗浄し、遠心分離する。間質血管画分(SVF)を単離するのに、上清をインキュベートし、コラゲナーゼ(GMPグレード)で酵素的に切断する。成長培地を用いて酵素活性を中和する。60-100 μmフィルターを用いて懸濁液をろ過し、遠心分離する。細胞ペレットを培養培地に再懸濁し、SVFを含むペレット中の細胞を計数する。SVF単離の別法では、GID SVF-1(商標)システムなどのクローズドシステムを用いる。ダルベッコ変法イーグル培地(DMEM)またはアルファ最小必須培地(α-MEM)、1-5%ペニシリン-ストレプトマイシン、1-5 IU/mLの防腐剤無添加ヘパリンおよび2-20%プールヒト血小板溶解物(pHPL)またはその他の代替成長培地、たとえば、ウシ胎仔血清からなる培養培地にSVFを播種する。初代培養物(P0)をインキュベートする。非付着細胞を捨て、細胞培養物フラスコをPBSで注意深くすすぎ、培地を取り替える。培地を3-7日ごとに変える。培養中およびASC採取の日に、病原体汚染について、すべての培養フラスコ／スタックを試験する。
【手続補正３】
【補正対象書類名】明細書
【補正対象項目名】００１１
【補正方法】変更
【補正の内容】
【００１１】
pHPL生成
Schallmoserら7による記載に一部変更を加えて、pHPLを製造することができる。要約すると、インフォームド・コンセント後、健康な血液ドナーから全血ユニットを集める。既存の法律を遵守して、感染性疾患マーカーについて、すべての血液提供物を試験する。赤血球細胞および血漿から軟膜を分離する。4つの軟膜ユニットを1ユニットの血漿とともに、多血小板血漿(PRP)内にプールし、-20℃〜-80℃にて保管する。最小10ユニットのPRPを水浴で融解し、次いで、単一のPRPバッチ内にプールする。プールPRPバッチを、より小さい画分に分注し、-20℃〜-80℃にて凍結させる。次に、単一のプールPRPバッチからのすべての分注した袋を水浴で融解し、遠心分離して(たとえば、4000 gにて15分間)、血小板画分を沈降させる。最後に、pHPL含有上清を、新しい袋に移し、細胞培養培地の調製において後で使用するために-40℃〜-80℃にて保管する。
【手続補正４】
【補正対象書類名】明細書
【補正対象項目名】００１８
【補正方法】変更
【補正の内容】
【００１８】
本発明の臨床的利点および新規性
米国出願61/839,578の特許出願前に、多ASC(エクスビボ増殖)脂肪移植片またはASC単独が、乳房または顔における注入用にはこれまでに臨床的に使用されたことはなく、文献にも記載されたことはなく、本発明者が他人とこれらの臨床適用の発想を分かち合ったことはない。上述したように、本発明の臨床適用(すなわち、美容乳房充填および顔面充填)は、これまでに実証されていないが、脂肪移植片の生存および質を改善するための脂肪移植片を生体外増殖ASCで富化させるという発想は、マウスモデル3およびヒトにおける概念研究の近年の論証に4おいて実証されている。本発明(すなわち、顔面充填/若返りおよび美容乳房充填/増大ための生体外増殖ASCの適用)は、従来的ないわゆる「脂肪幹細胞加脂肪充填(cell assisted lipo-filling)」のための、非増殖ASCの小画分などの新たに単離されたSVFの使用とは有意に異なることが強調されるべきである。この方法は、従来の脂肪充填術よりも有意に良好ではない、予測できない臨床的成果をもって、文献に記載され、ヒトに適用されている8。顔面充填のために生体外増殖ASCを用いる理論的根拠は、幹細胞が、脂肪細胞とは対照的に、注入後に生存することが実証される上述の研究によってサポートされる。さらに、ASCは、低酸素症および物理的な曝露に対して非常に耐性がある9-11。充填材として幹細胞単独を用いることによって、信頼できる残留体積/増大が達成されうる。
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
ツールユニット結合部を有するツールユニット、及び
前記ツールユニットを備える配置で使用するためのモーターユニットを有するハンドブレンダーにおいて、前記モーターユニットは、
モーターのシャフトを有するモーター、及び
前記モーターのシャフトを前記モーターの長軸上に位置決める端部
を有し、前記端部はさらに、前記ツールユニットの前記ツールユニット結合部に結合可能であるように配されるモーターユニット結合部を有し、
前記モーターユニット結合部は、前記ツールユニットを前記モーターに位置合わせるためのアライメント領域及び前記ツールユニットを前記モーターに固定させるための固定領域を有することを特徴とする、ハンドブレンダー。
【請求項２】
前記端部は、前記ツールユニットを前記モーターユニットに留めるためのロック領域を有する、請求項１に記載のハンドブレンダー。
【請求項３】
前記モーターユニット結合部は、前記ロック領域を有する、請求項２に記載のハンドブレンダー。
【請求項４】
前記端部は、当該端部の外端に封止するためのシール領域を有する、請求項１乃至３の何れか一項に記載のハンドブレンダー。
【手続補正書】
【提出日】平成28年12月28日(2016.12.28)
【手続補正１】
【補正対象書類名】特許請求の範囲
【補正対象項目名】全文
【補正方法】変更
【補正の内容】
【特許請求の範囲】
【請求項１】
外管（１２）および該外管（１２）の内側に配置された内管（１４）を有するシャフトと、前記外管（１２）の外側に前記外管（１２）と同心円状に配置された外側連結部分（２０）、および前記内管（１４）の内側に前記内管（１４）と同心円状に配置された内側連結部分（２６）を備える非接触磁気連結（１）とを備え、前記内側連結部分（２６）が、前記外側連結部分（２０）と前記内側連結部分（２６）との間の磁気作用による接続によって、並進移動および／または回転移動が可能であり、前記外管（１２）と前記内管（１４）との間の間隙において、導光ファイバ（４０）および／または導電体が通って案内される、内視鏡であって、
前記間隙の磁界の回転対称性は破れている
ことを特徴とする内視鏡。
【請求項２】
請求項１に記載の内視鏡であって、
前記内側連結部分（２６）は、前記外側連結部分（２０）の内側に偏心配置されている
ことを特徴とする内視鏡。
【請求項３】
請求項２に記載の内視鏡であって、
前記導光ファイバ（４０）および／または導電体は、内管（１４）と外管（１２）との間の距離が最大の領域に束で配置されている
ことを特徴とする内視鏡。
【請求項４】
請求項１〜３のうちの１項に記載の内視鏡であって、
前記導光ファイバ（４０）および／または導電体は、前記間隙を完全に充填しておらず、前記束によって充填されていない前記間隙の少なくとも一部には、１.５〜７０の透磁率を有する充填材料が配置されている
ことを特徴とする内視鏡。
【請求項５】
請求項４に記載の内視鏡であって、
前記透磁率は、５〜１１である
ことを特徴とする内視鏡。
【請求項６】
請求項４または５に記載の内視鏡であって、
前記充填材料（５０）は、合成材料を備え、
該合成材料は、磁性の粒子と混合されている
ことを特徴とする内視鏡。
【請求項７】
請求項６に記載の内視鏡であって、
前記磁性の粒子は、軟磁性の粒子である
ことを特徴とする内視鏡。
【請求項８】
請求項４〜７のうちの１項に記載の内視鏡であって、
前記導光ファイバ（４０）および／または導電体は、前記内管（１４）を完全に囲まない束として、前記間隙を通って案内されている
ことを特徴とする内視鏡。
【請求項９】
請求項４〜８のうちの１項に記載の内視鏡であって、
前記充填材料（５０）は、導光ファイバ（４０）および／または導電体が配置されていない間隙の部分を実質的に完全に充填する
ことを特徴とする内視鏡。
【請求項１０】
請求項４〜９のうちの１項に記載の内視鏡であって、
前記導光ファイバ（４０）および／または導電体の少なくとも一部は、前記充填材料（５０）を通って、あるいは前記充填材料（５０）における開口部を通って案内されている
ことを特徴とする内視鏡。
【請求項１１】
請求項４〜１０のうちの１項に記載の内視鏡であって、
前記内視鏡シャフトの長手方向に並進距離を有する磁気連結（１）によって、前記充填材料（５０）が、前記非接触磁気連結（１）の並進距離の全長に沿って延在している
ことを特徴とする内視鏡。
【請求項１２】
請求項１〜１１のうちの１項に記載の内視鏡であって、
前記内視鏡は、ビデオ内視鏡である
ことを特徴とする内視鏡。
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
血管医療デバイス送達または回収のための器具であって、該器具は、
細長いスリーブと、
該スリーブ内に受け取られる細長いシャフトであって、該シャフトは、可撓遠位延長部を有し、該延長部は、遠位開口部において内方向に折り返され、かつより近位の開口部を形成している、シャフトと
を備え、
該近位の開口部は、該医療デバイスの拡大端部を受け取り、そこに通すようにサイズ決めされ、
該器具は、該スリーブが該遠位延長部上を進行させられるときに該医療デバイスの該拡大端部が該遠位延長部内のポケットに固定されるように適応させられている、器具。
【請求項２】
前記遠位延長部は、７２〜１９２の間の端部総数を有する、ヒートセットされたニチノール編組を備えている、請求項１に記載の器具。
【請求項３】
前記シャフトは、前記ニチノール編組を備えている、請求項２に記載の器具。
【請求項４】
前記スリーブは、カテーテルを備えている、請求項１に記載の器具。
【請求項５】
前記遠位延長部は、角度方向において選択可能である、請求項１に記載の器具。
【請求項６】
前記拡大端部は、バンドおよびフックから選択される、請求項１に記載の器具。
【請求項７】
前記遠位延長部は、外部円錐形状を有する、請求項１に記載の器具。
【請求項８】
請求項１に記載の器具を備えている下大静脈フィルターシステムであって、前記医療デバイスは、下大静脈フィルターである、下大静脈フィルターシステム。
【請求項９】
医療デバイスを作る方法であって、該方法は、
第１の折り目を有する管状編組の区域を形成することと、
該第１の折り目に隣接する第２の折り目を有する該編組を形成することと
を含み、
内部フラップが該第１の折り目と該第２の折り目との間に形成されている、方法。
【請求項１０】
前記第１の折り目が形成された後に前記編組をヒートセットすることをさらに含む、請求項９に記載の方法。
【請求項１１】
前記第２の折り目が形成された後に前記編組をヒートセットすることをさらに含む、請求項９に記載の方法。
【請求項１２】
前記編組は、前記折り目を形成するときに略円柱形状で構成されている、請求項９に記載の方法。
【請求項１３】
前記略円柱形状で前記編組をヒートセットすることをさらに含む、請求項１０に記載の方法。
【請求項１４】
前記編組を略円錐形状へ拡張させることをさらに含む、請求項１１に記載の方法。
【請求項１５】
コーンの角度に対して相対的により平坦な角度で前記フラップを保持することをさらに含む、請求項１４に記載の方法。
【請求項１６】
前記略円錐形状で前記編組をヒートセットすることをさらに含む、請求項１４または請求項１５に記載の方法。
【請求項１７】
前記第１の折り目および第２の折り目は、圧縮状態で形成される、請求項９に記載の方法。
【請求項１８】
前記第１の折り目に隣接してバンドを挿入することと、
前記編組を有する前記バンドをソケット内へ挿入することと、
該ソケットの縁部に前記第２の折り目を形成することと
をさらに含む、請求項９に記載の方法。
【手続補正２】
【補正対象書類名】明細書
【補正対象項目名】０００６
【補正方法】変更
【補正の内容】
【０００６】
当該送達および／または回収デバイス、（アセンブリの有無にかかわらず）当該送達および／または回収デバイスが含まれるキット、（体内または体外の組成品のアセンブリを含む）使用方法および製造方法は、全て本開示の範囲内に含まれる。同じもののいくつかの側面が上述され、より詳細な考察が、以下に図面に関連して提示される。
本発明は、例えば、以下を提供する。
（項目１）
血管医療デバイス送達または回収のための器具であって、該器具は、
細長いスリーブと、
該スリーブ内に受け取られる細長いシャフトであって、該シャフトは、可撓遠位延長部を有し、該延長部は、遠位開口部において内方向に折り返され、かつより近位の開口部を形成している、シャフトと
を備え、
該近位の開口部は、該医療デバイスの拡大端部を受け取り、そこに通すようにサイズ決めされ、
該器具は、該スリーブが該遠位延長部上を進行させられるときに該医療デバイスの該拡大端部が該遠位延長部内のポケットに固定されるように適応させられている、器具。
（項目２）
前記遠位延長部は、７２〜１９２の間の端部総数を有する、ヒートセットされたニチノール編組を備えている、項目１に記載の器具。
（項目３）
前記シャフトは、前記ニチノール編組を備えている、項目２に記載の器具。
（項目４）
前記スリーブは、カテーテルを備えている、項目１に記載の器具。
（項目５）
前記遠位延長部は、角度方向において選択可能である、項目１に記載の器具。
（項目６）
前記拡大端部は、バンドおよびフックから選択可能である、項目１に記載の器具。
（項目７）
前記遠位延長部は、外部円錐形状を有する、項目１に記載の器具。
（項目８）
項目１に記載の器具を備えている下大静脈フィルターシステムであって、前記医療デバイスは、下大静脈フィルターである、下大静脈フィルターシステム。
（項目９）
項目１〜８のうちのいずれか１項に記載の器具を用いる医療デバイスの送達または回収の方法。
（項目１０）
下大静脈フィルターの回収のために実用される、項目９に記載の方法。
（項目１１）
医療デバイスを作る方法であって、該方法は、
第１の折り目を有する管状編組の区域を形成することと、
該第１の折り目に隣接する第２の折り目を有する該編組を形成することと
を含み、
内部フラップが該第１の折り目と該第２の折り目との間に形成されている、方法。
（項目１２）
前記第１の折り目が形成された後に前記編組をヒートセットすることをさらに含む、項目１１に記載の方法。
（項目１３）
前記第２の折り目が形成された後に前記編組をヒートセットすることをさらに含む、項目１１に記載の方法。
（項目１４）
前記編組は、前記折り目を形成するときに略円柱形状で構成されている、項目１１に記載の方法。
（項目１５）
前記略円柱形状で前記編組をヒートセットすることをさらに含む、項目１２に記載の方法。
（項目１６）
前記編組を略円錐形状へ拡張させることをさらに含む、項目１３に記載の方法。
（項目１７）
コーンの角度に対して相対的により平坦な角度で前記フラップを保持することをさらに含む、項目１６に記載の方法。
（項目１８）
前記略円錐形状で前記編組をヒートセットすることをさらに含む、項目１６または項目１７に記載の方法。
（項目１９）
前記第１の折り目および第２の折り目は、圧縮状態で形成される、項目１１に記載の方法。
（項目２０）
前記第１の折り目に隣接してバンドを挿入することと、
前記編組を有する前記バンドをソケット内へ挿入することと、
該ソケットの縁部に前記第２の折り目を形成することと
をさらに含む、項目１１に記載の方法。
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
水を保持する容器と、
呼吸気体のフローを受け入れる、前記容器に通じている吸入構造、及び、前記容器から出て行く排出構造と、
前記吸入構造と前記排出構造との少なくとも１つに流体連結された第１の端部、本体部、及び、第２の端部を持つ導管要素と、
前記導管要素の前記第２の端部に結合され、前記容器によって保持される水の上に浮かぶように構成されたフロートアセンブリであって、前記容器の内部及び前記排出構造と流体連結されるように構成された複数のアパーチャを持つ前記フロートアセンブリと、
を有し、前記複数のアパーチャの各々は、前記容器の向きに関わらず、前記水の表面の上に位置されるように構成される、
加湿器アセンブリ。
【請求項２】
前記本体部は、柔軟な本体部であり、ベローズ形状を持つ、請求項１記載の加湿器アセンブリ。
【請求項３】
前記フロートアセンブリは、第１のコンポーネントと、前記第１のコンポーネントに結合された第２のコンポーネントと、を有し、前記フロートアセンブリの前記アパーチャが、前記第１のコンポーネントと前記第２のコンポーネントとの間に配置されている、請求項１記載の加湿器アセンブリ。
【請求項４】
前記第２のコンポーネントは、前記導管要素の前記第２の端部を通じて前記複数のアパーチャの外へ半径方向に前記呼吸気体を分散させるためのバッフルとして機能するように構成された上面を持つ、請求項３記載の加湿器アセンブリ。
【請求項５】
前記容器に結合されるとともに、吸入端、前記吸入端に結合された、前記吸入構造を有する吸入ポート、及び、前記排出構造を有する排出端を持つ、アダプタを更に有する、請求項１記載の加湿器アセンブリ。
【請求項６】
前記導管要素は、単一の流路を持つ吸入管を有し、前記第１の端部は、前記吸入構造に流体連結されるが、前記排出構造には流体連結されない、請求項１記載の加湿器アセンブリ。
【請求項７】
前記容器に結合されたアダプタを更に有し、前記アダプタは、吸入ポートと、排出ポートと、前記吸入ポートと前記排出ポートとの間に配置された第１のフロー分離器と、を持ち、前記吸入ポートは、前記吸入構造の一部であり、前記排出ポートは、前記排出構造の一部であり、前記導管要素の前記第１の端部は、前記吸入ポート及び前記排出ポートに流体連結されている、請求項１記載の加湿器アセンブリ。
【請求項８】
前記導管要素は、吸入路、排出路、及び、前記吸入路と前記排出路との間の第２のフロー分離器を更に持ち、前記第２のフロー分離器は、前記第１の端部から前記第２の端部まで延在し、前記第１のフロー分離器と位置合わせされている、請求項７記載の加湿器アセンブリ。
【請求項９】
前記フロートアセンブリは、第１のコンポーネントと、前記第１のコンポーネントと結合された第２のコンポーネントと、を有し、前記フロートアセンブリの前記アパーチャは、前記第１のコンポーネントと前記第２のコンポーネントとの間に配置され、前記第１のコンポーネントは、吸入ポートと、排出ポートと、前記吸入ポートと前記排出ポートとの間に配置され、前記第２のフロー分離器と位置合わせされている第３のフロー分離器と、を含む、請求項８記載の加湿器アセンブリ。
【請求項１０】
前記アダプタの前記吸入ポートと、前記導管要素の前記吸入路と、前記第１のコンポーネントの前記吸入ポートとが、第１の流路を形成し、前記アダプタの前記排出ポートと、前記導管要素の前記排出路と、前記第１のコンポーネントの前記排出ポートとが、第２の流路を形成し、前記第１、第２、第３のフロー分離器が、前記第１の流路を通る前記呼吸気体が前記容器に入る前に前記第２の流路に入ることを防ぐように構成され、且つ、前記第２の流路を通る前記呼吸気体が前記第１の流路に入ることを防ぐように構成される、請求項９記載の加湿器アセンブリ。
【請求項１１】
前記導管要素は、吸入路と、前記吸入路から分離した排出路と、を含み、前記吸入路は、前記吸入構造及び前記複数のアパーチャに流体連結され、前記排出路は、前記排出構造及び前記複数のアパーチャに流体連結される、請求項１記載の加湿器アセンブリ。
【請求項１２】
請求項１記載の加湿器アセンブリと、
前記吸入構造に結合された、前記呼吸気体のフローを作る気体フロー生成器と、
前記排出構造に結合された、患者の気道に前記呼吸気体のフローを伝達する患者インターフェイスと、
を有する、圧補助システム。
【請求項１３】
圧補助システムにおける供給気体に加湿する方法であって、前記方法は、
水を含む容器と、導管要素と、導管要素に結合され、各々が前記容器の向きに関わらず、前記水の表面の上に維持される複数のアパーチャを持つ、前記水の上に浮かぶフロートアセンブリと、を有する、加湿器アセンブリに結合された、気体フロー生成器により、呼吸気体のフローを生成するステップと、
前記呼吸気体に、前記導管要素及び前記フロートアセンブリの前記複数のアパーチャを通過させるステップと、
前記呼吸気体に、前記水の上を通過させるステップと、
前記容器に結合された患者回路を介して、前記加湿器アセンブリから患者に前記呼吸気体を伝達するステップと、
を有する、方法。
【請求項１４】
前記導管要素は、単一の流路を持つ吸入管であり、流路を通じて前記患者回路に前記呼吸気体を伝達する前記ステップは、前記導管要素の一部を形成しない、請求項１３記載の方法。
【請求項１５】
前記導管要素は、第１の流路と、第２の流路と、を有し、前記呼吸気体に前記導管要素を通過させる前記ステップは、前記呼吸気体に前記第１の流路を通過させるステップを有し、前記伝達するステップは、前記第２の流路を含む流路を通じて前記患者回路に前記呼吸気体を伝達するステップを有する、請求項１３記載の方法。
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
磁気共鳴イメージングシステムのための磁石アセンブリであって、
磁石であって、前記磁石は、複数の超電導コイルを備える超電導磁石であり、各々の低減された磁場領域のまわりに同軸で中心に置かれる、前記複数の超電導コイルから選択される超電導コイルがもたらされる、当該磁石と、
磁場を生成するように動作可能であるアクティブ遮蔽された磁気傾斜コイルであって、前記磁場は円筒形対称軸を有し、前記傾斜コイルは、前記円筒形対称軸と平行な長さを有し、前記磁気傾斜コイルは外部表面を有し、前記磁場は、前記外部表面の外側の外部磁場を有し、前記外部磁場は、前記磁場の係数が、前記長さに沿った前記磁場の前記係数の平均より少ない、前記長さに沿った、少なくとも四つの低減された磁場領域を有する、当該磁気傾斜コイルと、
を有する、磁石アセンブリ。
【請求項２】
前記長さに沿って測定される、前記低減された磁場領域の各々の線形範囲は、二つの隣接する、前記低減された磁場領域の間の距離の、少なくとも10%である、請求項１に記載の磁石アセンブリ。
【請求項３】
前記低減された磁場領域の何れか一つの範囲内の前記外部磁場の前記係数は、前記長さに沿った前記磁場の前記係数の前記平均より少なくとも2.5倍小さくなり、
前記低減された磁場領域の何れか一つの範囲内の前記外部磁場の前記係数は、前記長さに沿った前記磁場の前記係数の前記平均より少なくとも5倍小さくなり、
前記低減された磁場領域の何れか一つの範囲内の前記外部磁場の前記係数は、前記長さに沿った前記磁場の前記係数の前記平均より少なくとも10倍小さくなり、又は
前記低減された磁場領域の何れか一つの範囲内の前記外部磁場の前記係数は、前記長さに沿った前記磁場の前記係数の前記平均より少なくとも20倍小さくなる、
うちの何れか一つになる、請求項１又は２に記載の磁石アセンブリ。
【請求項４】
前記傾斜コイルは、内部導電層及び外部導電層を有し、前記内部導電層は、直列に接続される第一のセットの個別電流ループを有し、前記外部導電層は、直列に接続される第二のセットの個別電流ループを有し、前記第一のセットは、前記第二のセットに直列に接続される、請求項１乃至３の何れか一項に記載の磁石アセンブリ。
【請求項５】
前記傾斜コイルは、三つの直交傾斜コイルを有し、前記直交傾斜コイルの前記低減された磁場領域は、前記超電導磁石の少なくともいくつかの前記コイルの代表的な位置に一致する、請求項１乃至４の何れか一項に記載の磁石アセンブリ。
【請求項６】
前記磁石は、常温ボア管及び放射線スクリーンを有し、前記放射線スクリーンは、前記常温ボア管と前記複数の超電導コイルとの間に前記放射線スクリーンの内部シリンダを有する、請求項１に記載の磁石アセンブリ。
【請求項７】
前記常温ボア管及び前記放射線スクリーンの前記内部シリンダは、非導電性であり、若しくは方位角方向において、前記シリンダの軸方向における電気インピーダンスより高い電気インピーダンスを持ち、及び／又は前記内部シリンダは誘電体から形成される、請求項６に記載の磁石アセンブリ。
【請求項８】
前記放射線スクリーンの前記内部シリンダは、前記磁気傾斜コイルの前記外部磁場によって生成される渦電流をブロックするように動作可能なスロットを備える導電性物質から形成され、又は前記放射線スクリーンの前記内部シリンダは、誘電体から形成される、請求項７に記載の磁石アセンブリ。
【請求項９】
前記常温ボア管は、前記磁気傾斜コイルを有する、請求項６乃至８の何れか一項に記載の磁石アセンブリ。
【請求項１０】
前記磁石は無冷媒磁石である、請求項９に記載の磁石アセンブリ。
【請求項１１】
前記磁気傾斜コイルは、前記外部磁場を、各々の超電導コイルの間に広がるように、生成するように動作可能である、請求項１乃至１０の何れか一項に記載の磁石アセンブリ。
【請求項１２】
請求項１乃至１１の何れか一項に記載の磁石アセンブリを有する、磁気共鳴イメージングシステム。
【請求項１３】
磁気共鳴イメージングシステムのための磁気傾斜コイルであって、前記磁気傾斜コイルはアクティブ遮蔽され、前記磁気傾斜コイルは、磁場を生成するように動作可能であり、前記磁場は円筒形対称軸を有し、前記傾斜コイルは、前記円筒形対称軸と平行な長さを有し、前記磁気傾斜コイルは外部表面を有し、前記磁場は、前記外部表面の外側の外部磁場を有し、前記外部磁場は、前記磁場の係数が、前記長さに沿った前記磁場の前記係数の平均より少ない、前記長さに沿った、少なくとも四つの低減された磁場領域を有し、前記長さに沿って測定される、前記低減された磁場領域の各々の線形範囲は、二つの隣接する、前記低減された磁場領域の間の距離の、少なくとも10%である、磁気傾斜コイル。
【請求項１４】
磁気設計ソフトウェアを使用して、磁気共鳴イメージングシステムのための磁気傾斜コイルを設計する方法であって、前記方法は、
A.  前記傾斜コイルの外部導電層及び内部導電層に対応する円筒表面を規定し、前記外部導電層と前記内部導電層とを接続する導電フランジ領域を随意に規定する、ステップ、
B.  前記傾斜コイルの内側のイメージングボリューム内において所定の線形性で傾斜磁場をもたらし、前記磁気傾斜コイルは、外部表面を有する、ステップ、
C.  超電導磁石の超電導コイルの位置に対応する、少なくとも四つの低減された磁場領域が存在するように、前記外部表面を囲む外部磁場を制限する制約を規定する、ステップ、
及び／又は、
前記低減された磁場領域の位置において受動導電リングとして作用する表面を規定し、これらのリングにおいて誘導される電流、若しくはこれらの誘導電流によってもたらされる消費に対する制約を規定し、ステップA、B、及びCは、前記内部導電層及び前記外部導電層の電流分布を見つけるための最適化問題を規定する、ステップ、
D.  連続ストリーム関数を計算するために前記最適化問題を解決し、前記連続ストリーム関数は、前記最適化問題に対する前記解決策を記述する、ステップ、並びに
E.  前記最適化の結果として得られる前記連続ストリーム関数を、個別電流ループのパターンに変換し、前記傾斜コイル設計を規定するため、直列にこれらの個別電流ループを接続する、ステップ
を有する、方法。
【請求項１５】
前記傾斜コイル設計によって前記傾斜コイルを製造するステップを更に有する、請求項１４に記載の方法。
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
カニューレ装置であって、
吸引を与えるように構成された第１の吸引先端部及び洗浄液を供給するように構成された洗浄液排出口を備えた洗浄ハンドピース部と、
吸引を与えるように構成された第２の吸引先端部を備えた吸引ハンドピース部であって、前記第２の吸引先端部が前記吸引ハンドピース部の遠端から延在する、前記吸引ハンドピース部と
を備え、
前記カニューレ装置が、
流体が直列状の前記第１の吸引先端部及びその後の前記第２の吸引先端部を介して吸引されるとともに前記洗浄液が前記洗浄液排出口を介して供給されるように、前記吸引ハンドピース部が前記洗浄ハンドピース部に結合された同軸モード、及び
前記洗浄ハンドピース部が前記洗浄液排出口を介して前記洗浄液を供給し続けつつ前記第２の吸引先端部を介して吸引を与えるが、前記第１の吸引先端部を介しては吸引を与えないように、前記吸引ハンドピース部が前記洗浄ハンドピース部から分離された双手モードの間で変形可能である、カニューレ装置。
【請求項２】
前記洗浄液排出口が前記洗浄ハンドピース部の遠端に結合された洗浄スリーブにおけるポートであり、前記洗浄スリーブが前記洗浄ハンドピース部から延在する前記第１の吸引先端部を少なくとも部分的に囲む、請求項１に記載のカニューレ装置。
【請求項３】
前記洗浄ハンドピース部の近端に封止部を更に備え、前記封止部が、前記吸引ハンドピース部が前記洗浄ハンドピース部に結合される場合に前記第２の吸引先端部を受けるように構成された、請求項１に記載のカニューレ装置。
【請求項４】
前記封止部が円錐形状であり、前記封止部の壁部が前記洗浄ハンドピース部の内壁に押圧されて前記封止部の壁部と前記洗浄ハンドピース部の前記内壁との間の流体の流れを阻止するように前記洗浄ハンドピース部の前記近端内に嵌合するように構成された、請求項３に記載のカニューレ装置。
【請求項５】
前記封止部がＯリングを備え、該Ｏリングが、前記洗浄ハンドピース部の内壁に押圧されて前記Ｏリングと前記洗浄ハンドピース部の前記内壁との間の流体の流れを阻止するように構成された、請求項３に記載のカニューレ装置。
【請求項６】
前記封止部が、前記吸引ハンドピース部が前記洗浄ハンドピース部から取り外される場合に吸引流体が前記洗浄ハンドピース部から流れ出るのを阻止するように構成された、請求項３に記載のカニューレ装置。
【請求項７】
前記吸引ハンドピース部が前記洗浄ハンドピース部に対して挿抜される際に前記封止部を前記洗浄ハンドピース部に保持する保持具を更に備えた、請求項３に記載のカニューレ装置。
【請求項８】
前記洗浄ハンドピース部及び前記吸引ハンドピース部が、前記吸引ハンドピース部の前記遠端を前記洗浄ハンドピース部の近端に取外し可能に結合するための連結要素を含む、請求項１に記載のカニューレ装置。
【請求項９】
前記洗浄ハンドピース部が、前記洗浄ハンドピース部に前記洗浄液を供給する洗浄ラインに結合するように構成された洗浄コネクタを更に備え、前記第２の吸引先端部が、前記洗浄コネクタを備えた前記洗浄ハンドピース部の側部と逆を向く方向に湾曲している、請求項１に記載のカニューレ装置。
【請求項１０】
吸引ハンドピース部の吸引先端部を洗浄ハンドピース部の封止部に挿入することであって、前記洗浄ハンドピース部の吸引先端部に入る流体が前記洗浄ハンドピース部の内部を通って前記吸引ハンドピース部の前記吸引先端部内を通過してから前記吸引ハンドピース部から出るように前記吸引ハンドピース部の前記吸引先端部を前記洗浄ハンドピース部の吸引経路と流通するように配置する、前記挿入すること、
前記吸引ハンドピース部を前記洗浄ハンドピース部に結合して同軸ハンドピースを形成すること、
前記洗浄ハンドピース部の前記吸引先端部を介して吸引を与えるとともに前記洗浄ハンドピース部の洗浄液排出口を介して洗浄液を供給すること、
前記吸引ハンドピース部を前記洗浄ハンドピース部から分離すること、
前記吸引ハンドピース部の前記吸引先端部を前記洗浄ハンドピース部の前記封止部から引き抜いて２つの個別のハンドピースを形成すること、及び
前記洗浄ハンドピース部の前記洗浄液排出口を介して前記洗浄液を供給し、前記吸引ハンドピース部の前記吸引先端部を介して吸引を与えること、
を有する、方法。
【請求項１１】
前記洗浄液排出口を介して前記洗浄液を供給することが、前記洗浄ハンドピース部の遠端に結合された洗浄スリーブのポートを介して洗浄液を供給することを含み、前記洗浄スリーブが前記洗浄ハンドピース部の前記吸引先端部を少なくとも部分的に囲む、請求項１０に記載の方法。
【請求項１２】
前記吸引ハンドピース部を前記洗浄ハンドピース部に結合することが、前記吸引ハンドピース部及び前記洗浄ハンドピース部の連結要素をともに捻ることを含む、請求項１０に記載の方法。
【請求項１３】
前記吸引ハンドピース部を前記洗浄ハンドピース部に結合すること及び前記吸引ハンドピース部を前記洗浄ハンドピース部から分離することが、洗浄または吸引配管接続を取り外すことを要せず、前記洗浄ハンドピース部からスリーブを取り外すことを要しない、請求項１０に記載の方法。
【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
皮膚組織の再生のための非侵襲的装置であって、前記非侵襲的装置は、
前記皮膚組織を前記吸引チャンバに存在する治療圧に露出するための開口を有する皮膚接触表面を持つ、前記開口の領域に対応する前記皮膚組織の外表面の一部に吸引力を付与するための吸引チャンバであって、前記治療圧は、前記吸引チャンバの外側の周囲圧力よりも低く、前記吸引チャンバは、前記皮膚組織の前記外表面に手動で当てられることを可能とする寸法である前記吸引チャンバと、
前記吸引チャンバにおける前記治療圧のレベルを制御するとともに、前記皮膚組織の再生を始めるために、前記皮膚組織の表皮層と真皮層との間の界面に損傷を与えるための前記治療圧の付与時間間隔を制御するためのコントローラと、
を有し、
前記吸引チャンバにおける前記開口の領域が、１０ｍｍ２よりも小さい、非侵襲的装置。
【請求項２】
前記吸引チャンバの前記皮膚接触表面における前記開口が、４ｍｍ２と０．７５ｍｍ２との間の範囲にある、請求項１記載の非侵襲的装置。
【請求項３】
前記吸引チャンバにおける前記治療圧のレベルが、周囲圧力未満である、０．１３３３×１０５Ｎ／ｍ２と１．２×１０５Ｎ／ｍ２との間（１０５ミリＴｏｒと９×１０５ミリＴｏｒとの間）の範囲にある、請求項１記載の非侵襲的装置。
【請求項４】
前記付与時間間隔が、１秒と１０分との間の範囲にある、請求項１記載の非侵襲的装置。
【請求項５】
前記皮膚接触表面が、開口のアレイを有し、前記開口のアレイにおける２つの隣接する開口の間の距離が、前記開口の幅よりも大きい、請求項１記載の非侵襲的装置。
【請求項６】
前記コントローラが、特定の皮膚タイプに関し、前記治療圧のレベル及び前記付与時間間隔を決定するためのルックアップテーブルを有する、請求項１記載の非侵襲的装置。
【請求項７】
前記非侵襲的装置が、前記コントローラに接続されたセンサを有し、前記センサが、前記皮膚組織の表皮層と真皮層との間の前記界面の前記損傷と関連付けられたパラメータを感知する、請求項１記載の非侵襲的装置。
【請求項８】
前記センサが、
前記界面の前記損傷によって引き起こされる圧力の増加を感知するための圧力センサと、
前記界面の前記損傷によって引き起こされる前記皮膚組織の前記外表面の変化を感知するための光学センサと、
前記界面の前記損傷によって引き起こされる前記表皮層と前記真皮層との間の前記界面における変化を感知するための光学センサと、
前記表皮層と前記真皮層との間の前記界面の損傷によって引き起こされ、前記界面から発せられる、音響信号を感知するための音響センサと、
を有するリストから選択される、請求項７記載の非侵襲的装置。
【請求項９】
前記コントローラが、前記皮膚組織における前記表皮層と前記真皮層との間の前記界面において基準水膨れ構造が形成される前に、前記皮膚組織への前記治療圧の付与を停止し、前記基準水膨れ構造が、前記吸引チャンバにおける前記開口の領域の８０％をカバーする、前記表皮層と前記真皮層との間の前記界面における１又は複数の水膨れキャビティを有する水膨れ構造に対応する、請求項１乃至８のいずれか１項に記載の非侵襲的装置。
【請求項１０】
前記付与時間間隔が、基準水膨れ時間の３０％と７０％との間の範囲にあり、前記基準水膨れ時間が、前記開口の所定の領域及び前記吸引チャンバにおける治療圧の所定のレベルを用いて前記基準水膨れ構造を作るために前記治療圧が付与されるべき時間間隔である、請求項９記載の非侵襲的装置。
【請求項１１】
前記非侵襲的装置が、前記表皮層と前記真皮層との間の前記界面において、又は、前記界面の近傍において、前記皮膚組織の温度を増加させる加熱素子を有する、請求項１記載の非侵襲的装置。
【請求項１２】
前記加熱素子が、
無線周波数加熱素子と、
レーザ加熱素子と、
発光ダイオード加熱素子と、
接触加熱素子と、
ペルチェ加熱素子と、
広帯域光源と、
を有するリストから選択される、請求項１１記載の非侵襲的装置。
【請求項１３】
前記加熱素子が、前記表皮層、前記真皮層、又は、前記表皮層と前記真皮層との間の前記界面に対して熱的に損傷を与えるために必要なレベルまで、前記皮膚組織の前記温度を増加させる、請求項１１記載の非侵襲的装置。
【請求項１４】
前記非侵襲的装置が、前記表皮層と前記真皮層との間の前記界面において、又は、前記界面の近傍において、前記皮膚組織の温度を減少させる冷却素子を有する、請求項１記載の非侵襲的装置。
【請求項１５】
皮膚組織を再生するための装置の作動方法であって、前記方法は、
吸引チャンバを皮膚組織の外表面と接触させるステップであって、前記吸引チャンバが、前記皮膚組織を前記吸引チャンバに存在している治療圧に露出するための開口を有する皮膚接触表面を持つ、前記開口の領域に対応する前記皮膚組織の前記外表面の一部に吸引力を付与するための吸引チャンバであって、前記治療圧は、前記吸引チャンバの外側の周囲圧力よりも低く、前記吸引チャンバは、前記皮膚組織の前記外表面に手動で当てられることを可能とする寸法であり、前記吸引チャンバにおける前記開口の領域が、１０ｍｍ２よりも小さい前記ステップと、
前記皮膚組織の再生を始めるために、前記皮膚組織の表皮層と真皮層との間の界面に損傷を与えるため、前記吸引チャンバを用いて、前記皮膚組織の前記外表面に対して付与時間間隔の間、治療圧のレベルを付与するステップと、
を有する、方法。
【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
車椅子が縁石を乗り越えるのを補助する車椅子用縁石登りおよび縁石下りシステムにおいて、
前記システムを前記車椅子に固定する車椅子取付け機構と、
１対の前側腕であって、各前側腕が、車椅子の前方部を持ち上げるために前方および下方に伸長するまたは前方および下方に配置され、前記システムが配備されるとすぐに前記車椅子の前記前方部を下げるために元の状態に収縮するように構成されかつそのように制御することができる１対の前側腕と、
１対の後側腕であって、各後側腕が、車椅子の後方部を持ち上げるために前方および下方に伸長するまたは前方および下方に配置され、前記システムが配備されるとすぐに前記車椅子の前記後方部を下げるために元の状態に収縮するように構成されかつそのように制御することができる１対の後側腕と、
前記腕を伸長するまたは配置する、および収縮させるために、前記前側腕のそれぞれおよび前記後側腕のそれぞれと関連する腕伸長および収縮モータを有する腕伸長機構と、
各前側腕および各後側腕の前記自由端に配置される回転可能な持上げ腕用車輪と、
前記腕車輪の少なくとも１つと関連していて、前記腕車輪の少なくとも１つを回転させるように構成される車輪モータと、
前記システムの動作を始動させて制御するように作られる動作制御ユニットと、
前記システムの動作中、前記車椅子の前記座を前記地面と実質的に水平な状態に確実に維持するために作動するように前記腕に連結される水平化機構とを備え、
このシステムが更に、前記前側腕および前記後側腕を収容するための一対の腕ハウジングを備え、
前記腕ハウジングならびに前記前側腕および前記後側腕は弓形であり、
前記腕伸長機構の各腕伸長および収縮モータは、関連する歯車を有し、
前記前側腕および前記後側腕のそれぞれは、それに対応する歯車に対応する歯状部または歯付きレールを有する、システム。
【請求項２】
前記前側腕が、取付けロッドを利用して前記車椅子に取り付けられている、請求項１に記載のシステム。
【請求項３】
前記水平化機構が、少なくとも１つの傾斜計センサを含む、請求項１に記載のシステム。